(57)【要約】【課題】暗い部屋で使用中に電源をオフする際、光源が消灯するまでに猶予時間を持つことができるプロジェクターを提供する。【解決手段】プロジェクター１の周囲の明るさを検出する照度検出部１５と、入力操作を受け付ける入力操作部２３と、当該プロジェクターの動作を制御する制御部２０と、を備え、制御部２０は、入力操作部２３より、当該プロジェクター１の電源オフ操作を受け付けたとき、照度検出部１５によって検出された周囲の明るさ（照度ＡＳ）が所定の明るさ（照度ＰＳ）より暗い場合に、所定の時間（Ｔ１）を経過するまで電源オフを保留する。【選択図】図２
2012215759.tif 000002
【特許請求の範囲】
【請求項１】
光源から射出された光を画像情報に応じて変調して投写する画像投写部を有するプロジェクターであって、
当該プロジェクターの周囲の照度を検出する照度検出部と、
入力操作を受け付ける入力操作部と、
当該プロジェクターの動作を制御する制御部と、を備え、
前記制御部は、前記入力操作部より、当該プロジェクターの電源オフ操作を受け付けたとき、前記照度検出部によって検出された前記周囲の照度が所定の照度より小さい場合に、所定時間経過するまで電源オフを保留することを特徴とするプロジェクター。
【請求項２】
請求項１に記載のプロジェクターであって、前記制御部は、前記電源オフを保留している状態において、前記画像投写部に電源オフ保留メッセージを投写させることを特徴とする、プロジェクター。
【請求項３】
請求項１または２に記載のプロジェクターであって、前記制御部は、前記電源オフを保留している状態において、前記照度検出部により検出された前記周囲の照度が所定の照度より大きくなった場合に電源をオフすることを特徴とする、プロジェクター。
【請求項４】
請求項１から３のいずれか一項に記載のプロジェクターであって、前記制御部は、前記電源オフを保留している状態において、前記入力操作部より、電源をオフする操作を受け付けた場合に電源をオフすることを特徴とする、プロジェクター。
【請求項５】
光源から射出された光を画像情報に応じて変調して投写する画像投写部を有するプロジェクターの制御方法であって、
入力操作を受け付ける入力操作部と、
当該プロジェクターの周囲の照度を検出する照度検出ステップと、
前記照度検出ステップにより検出された前記周囲の照度が所定の照度より小さいか否かを判断する照度判断ステップと、
前記入力操作部より、当該プロジェクターの電源オフ操作を受け付けたとき、前記照度判断ステップにより、周囲の照度が所定の照度より小さいと判断された場合に、所定時間経過するまで電源オフを保留する電源オフ保留ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
プロジェクターを暗い部屋で投写し、使用終了後に電源をオフする際、光源が消灯することで部屋が暗くなり、部屋を明るくするための照明スイッチを探すときに戸惑うことがあった。特許文献１には画像再生装置一体型のプロジェクターにおいて、再生停止操作に連動して明るい画像を投写し、部屋を明るくするものが開示されている。
【先行技術文献】
【特許文献】
【０００３】
【特許文献１】特開２００５−９４４７５号公報
【発明の概要】
【発明が解決しようとする課題】
【０００４】
しかしながら、前述の画像再生装置一体型のプロジェクターのような画像再生装置を備えないプロジェクターでは、一時停止するという操作がないのでこの方法は使えなかった。また、電源オフの前に別の操作をさせる方法では、使用終了時の手順が非常にわずらわしくなり、明るい部屋で使用しているときは必要がないため、手順を忘れやすいという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調して投写する画像投写部を有するプロジェクターであって、当該プロジェクターの周囲の照度を検出する照度検出部と、入力操作を受け付ける入力操作部と、当該プロジェクターの動作を制御する制御部と、を備え、前記制御部は、前記入力操作部より、当該プロジェクターの電源オフ操作を受け付けたとき、前記照度検出部によって検出された前記周囲の照度が所定の照度より小さい場合に、所定時間経過するまで電源オフを保留することを特徴とする。
【０００７】
本適用例によれば、プロジェクターの電源をオフする際、周囲の照度が所定の照度より小さい（暗い）場合、所定時間経過するまで電源オフを保留する。これにより、例えば暗い部屋でプロジェクターを使用終了時、プロジェクターの電源オフ操作した後にプロジェクターから離れ、部屋の照明を点灯するなど部屋を明るくする動作をする時間が確保できるので、プロジェクターの電源をオフする前に部屋を明るくしておき、それから電源をオフするというわずらわしい動作を回避することが可能となる。
【０００８】
［適用例２］上記適用例に記載のプロジェクターにおいて、前記制御部は、前記電源オフを保留している状態において、前記画像投写部に電源オフ保留メッセージを投写させることを特徴とする。
【０００９】
本適用例によれば、プロジェクターの電源オフを保留していることを、投写されたメッセージにより確認することができるので、ユーザーが電源オフ操作後にすぐに電源がオフしないことにより、故障と間違えることを防止することが可能となる。
【００１０】
［適用例３］上記適用例に記載のプロジェクターにおいて、前記制御部は、前記電源オフを保留している状態において、前記照度検出部により検出された前記周囲の照度が所定の照度より大きくなった場合に電源をオフすることを特徴とする。
【００１１】
本適用例によれば、プロジェクターの電源オフを保留している状態において、周囲の照度が所定の照度より大きく（明るく）なった場合に電源をオフするので、周囲が明るくなった後も所定時間が経過するまで電源がオフされないことを回避することができる。
【００１２】
［適用例４］上記適用例に記載のプロジェクターにおいて、前記制御部は、前記電源オフを保留している状態において、前記入力操作部より、電源をオフする操作を受け付けた場合に電源をオフすることを特徴とする。
【００１３】
本適用例によれば、プロジェクターの電源オフを保留している状態において、ユーザーの再度の電源オフ操作によりプロジェクターの電源をオフする。これにより、部屋が暗くても困らない場合や、直ちに電源をオフしたい場合に保留状態を終了し、プロジェクターの電源をオフすることが可能となる。
【００１４】
［適用例５］本適用例に係るプロジェクターの制御方法は、光源から射出された光を画像情報に応じて変調して投写する画像投写部を有するプロジェクターの制御方法であって、入力操作を受け付ける入力操作部と、当該プロジェクターの周囲の照度を検出する照度検出ステップと、前記照度検出ステップにより検出された前記周囲の照度が所定の照度より小さいか否かを判断する照度判断ステップと、前記入力操作部より、当該プロジェクターの電源オフ操作を受け付けたとき、前記照度判断ステップにより、周囲の照度が所定の照度より小さいと判断された場合に、所定時間経過するまで電源オフを保留する電源オフ保留ステップと、を有することを特徴とする。
【００１５】
本適用例によれば、プロジェクターの電源をオフする際、周囲の照度が所定の照度より小さい（暗い）場合、所定時間経過するまで電源オフを保留する。これにより、例えば暗い部屋でプロジェクターを使用終了時、プロジェクターの電源オフ操作した後にプロジェクターから離れ、部屋の照明を点灯するなど部屋を明るくする動作をする時間が確保できるので、プロジェクターの電源をオフする前に部屋を明るくしておき、それから電源をオフするというわずらわしい動作を回避することが可能となる。
【図面の簡単な説明】
【００１６】
【図１】プロジェクターの回路構成を示すブロック図。
【図２】プロジェクターが電源オフ操作を受け付けたときの動作を示すフローチャート。
【図３】プロジェクターが電源オフ操作を受け付けたときの保留メッセージ。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
図１は、本実施形態のプロジェクターの回路構成を示すブロック図である。
図１に示すように、プロジェクター１は、画像投写部１０、制御部２０、記憶部２１、光源制御部２５、入力操作部２３、照度検出部１５、画像信号入力部１８、画像信号処理部１７、ＯＳＤ処理部１６、電源端子３０、電源部３１等で構成されており、これらは図示しない筐体の内部に収容されている。
【００１９】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調し、投写レンズ１３から投写することによってスクリーンＳＣ等に画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２１】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２２】
上記実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。なお、上記実施形態では、画像投写部１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２３】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０は、時間を計時するタイマー２０ａを備えている。
【００２４】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
【００２５】
入力操作部２３は、ユーザーがプロジェクター１に対して各種指示を行うための複数の操作キーを備えている。入力操作部２３が備える操作キーとしては、電源のオン・オフを交互に切り替えるための電源キーや、画像信号入力部１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００２６】
ユーザーが入力操作部２３の各種操作キーを操作すると、入力操作部２３は、ユーザーの操作内容に応じた操作信号を制御部２０に出力する。なお、入力操作部２３は、リモートコントローラー（リモコン）信号受信部（図示せず）と遠隔操作が可能なリモートコントローラー（図示せず）を有した構成としてもよい。
この場合、リモートコントローラーは、使用者の操作内容に応じた赤外線等の操作信号を発し、リモコン信号受信部がこれを受信して制御情報として制御部２０に伝達する。
【００２７】
画像信号入力部１８は、上述したように複数の画像入力端子を備えており、各画像入力端子より、ビデオ再生装置やパーソナルコンピューター等、外部の画像出力装置から、図示しないケーブルを介して画像情報が入力される。
【００２８】
画像信号処理部１７は、画像信号入力部１８から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００２９】
ＯＳＤ処理部１６は、制御部２０の指示に基づいて、投写画像上に、メニュー画像やメッセージ画像等のＯＳＤ（オンスクリーンディスプレイ）画像を重畳して表示するための処理を行う。ＯＳＤ処理部１６は、図示しないＯＳＤメモリーを備えており、ＯＳＤ画像を形成するための図形やフォント等を表すＯＳＤ画像情報を記憶している。
【００３０】
制御部２０が、ＯＳＤ画像の重畳表示を指示すると、ＯＳＤ処理部１６は、必要なＯＳＤ画像情報をＯＳＤメモリーから読み出し、投写画像上の所定の位置にＯＳＤ画像が重畳されるように、画像信号処理部１７から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部１６は、画像信号処理部１７から入力される画像情報を、そのまま液晶駆動部１４に出力する。
【００３１】
液晶駆動部１４は本実施形態における画像形成部であり、ＯＳＤ処理部１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３２】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。
また、電源部３１は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３３】
光源制御部２５は、制御部２０の指示に基づいて、光源１１に対する電力の供給と停止とを制御し、光源１１の点灯、及び消灯を切り替える。
【００３４】
照度検出部１５は、プロジェクター１の筐体上面に備えられ、プロジェクター１の周囲の明るさを検出し、その検出結果（後述する周囲の照度ＡＳ）を制御部２０に出力する。
【００３５】
次に、本実施形態のプロジェクター１の動作を図２のフローチャートを用いて説明する。図２はプロジェクター１が電源オフ操作を受け付けたときの動作を示すフローチャートである。
【００３６】
図２に示すように、プロジェクター１が、入力操作部２３より電源オフ操作を受け付けると（ステップＳ１０１）、制御部２０は照度検出部１５により、プロジェクター１の周囲の明るさ（照度）を検出する（ステップＳ１０２Ａ：照度検出ステップ）。
次に、照度検出部１５により検出された周囲の照度ＡＳが所定の照度ＰＳ（例えば２０ｌｕｘ）より小さいか（暗いか）否かを判断する（ステップＳ１０２Ｂ：照度判断ステップ）。
周囲の照度ＡＳが所定の照度ＰＳより小さい場合（ステップＳ１０２：Ｙ）、ステップＳ１０３に遷移する。周囲の照度ＡＳが所定の照度ＰＳ以上（明るい）の場合（ステップＳ１０２：Ｎ）、ステップＳ１０８に遷移する。
【００３７】
ステップＳ１０３において制御部２０は、画像投写部１０に電源オフ保留メッセージＭ１を投写させ、タイマー２０ａによる計時を開始（スタート）し（ステップＳ１０４）、ステップＳ１０５に遷移する。このときの保留メッセージＭ１を図３に示す。
【００３８】
ステップＳ１０５において制御部２０は、入力操作部２３より、電源オフするための入力操作（例えば決定キーを押す）を受け付けたか否かを調べる。電源オフするための入力操作を受け付けた場合（ステップＳ１０５：Ｙ）、ステップＳ１０８に遷移する。電源オフするための入力操作を受け付けていない場合（ステップＳ１０５：Ｎ）、ステップＳ１０６に遷移する。
【００３９】
ステップＳ１０６において制御部２０は、照度検出部１５の検出結果に基づき、周囲の照度ＡＳが、所定の照度ＰＳ以上になったか（明るくなったか）否かを調べる。周囲の照度ＡＳが、所定の照度ＰＳ以上になった場合（ステップＳ１０６：Ｙ）、ステップＳ１０８に遷移する。周囲の照度ＡＳが、所定の照度ＰＳより小さい（暗い）場合（ステップＳ１０６：Ｎ）、ステップＳ１０７に遷移する。
【００４０】
ステップＳ１０７において制御部２０は、タイマー２０ａが所定の時間Ｔ１（例えば１５秒）を経過したか否かを調べる。タイマー２０ａが時間Ｔ１を経過した場合（ステップＳ１０７：Ｙ）、ステップＳ１０８に遷移する。タイマー２０ａが時間Ｔ１を経過していない場合（ステップＳ１０７：Ｎ）、ステップＳ１０５に遷移する。
本実施形態においてステップＳ１０３からステップＳ１０７までが、電源オフ保留ステップに相当する。
【００４１】
ステップＳ１０８において制御部２０は、光源制御部２５により光源１１を消灯し、プロジェクター１の電源オフ処理を行い、ステップＳ１０９に遷移する。
【００４２】
ステップＳ１０９において制御部２０はプロジェクター１をスタンバイ状態に移行させ、本動作フローを終了する。
【００４３】
以上説明したように、本実施形態のプロジェクター１によれば、プロジェクター１の電源をオフする際、周囲の明るさが所定の明るさより暗い場合、所定時間経過するまで電源オフを保留する。これにより、例えば暗い部屋でプロジェクター１を使用終了時、プロジェクター１の電源オフ操作した後にプロジェクター１から離れ、部屋の照明を点灯するなど部屋を明るくする動作をする時間が確保できるので、プロジェクター１の電源をオフする前に部屋を明るくしておき、それから電源をオフするというわずらわしい動作を回避することが可能となる。
【００４４】
また、プロジェクター１の電源オフを保留していることを、投写されたメッセージにより確認することができるので、ユーザーが電源オフ操作後にすぐに電源がオフしないことにより、故障と間違えることを防止することが可能となる。
【００４５】
また、プロジェクター１の電源オフを保留している状態において、周囲の明るさが所定の明るさより明るくなった場合に電源をオフするので、周囲が明るくなった後も所定時間が経過するまで電源がオフされないことを回避することができる。
【００４６】
また、プロジェクター１の電源オフを保留している状態において、ユーザーの再度の電源オフ操作によりプロジェクター１の電源をオフする。これにより、部屋が暗くても困らない場合や、直ちに電源をオフしたい場合に保留状態を終了し、プロジェクターの電源をオフすることが可能となる。
【００４７】
（変形例１）
また、上記実施形態は、以下のように変更してもよい。
上述した実施形態においては、入力操作部２３の、本体キーまたはリモコンのどちらで電源オフ操作が行われたかによって電源オフまでの保留時間を変えてもよい。例えばリモコンキー操作のときはプロジェクター１から離れて移動可能なため、すぐに部屋を明るくできると考えられるので、本体キー操作による電源オフに比べ、電源オフまでの保留時間を短くしてもよい。
【００４８】
また、上述した実施形態において照度検出部１５は、プロジェクター１の筐体上面に備えることとしたが、これに限らず、例えばリモコンなど他の機器に設けられる構成でも良い。
また、照度検出部を取り外し可能なユニットとして構成し、接続ケーブル、或いは赤外線信号などでデータを送信する構成としても良い。これにより、周囲の明るさが照明器具の配置などにより均一ではない場合においても、例えば照明スイッチの近傍に照度検出部を設置することで、照明スイッチ近傍の照度を測定でき、照明スイッチ近傍の明るさを確保することができる。
【符号の説明】
【００４９】
１…プロジェクター、１５…照度検出部、１７…画像信号処理部、１６…ＯＳＤ処理部、１８…画像信号入力部、３０…電源端子、３１…電源部、１０…画像投写部、１１…光源、１２Ｒ，１２Ｇ，１２Ｂ…液晶ライトバルブ、１３…投写レンズ、１４…液晶駆動部、２０…制御部、２１…記憶部、２５…光源制御部、２３…入力操作部。
【図１】
2012215759.tif 000003
【図２】
2012215759.tif 000004
【図３】
2012215759.tif 000005